(57)【特許請求の範囲】
【請求項１】
上部階段部と下部階段部との中間に踊り場を有する階段上に、上下階床間を連通され、上部機械室を形成する上部水平部と、下部機械室を形成する下部水平部と、前記上部機械室と下部機械室とを接続する傾斜部からなる主枠を備えた乗客コンベアを前記下部階段部の傾斜に沿って設置してなる階段通路設備において、前記乗客コンベアの上部機械室の上階床側に、その端部が前記上部階段部の最上段よりも下方の段上に配置され、前記上部機械室は、高さ寸法が前記乗客コンベアの下部機械室の高さ寸法以下となる第１の機器収納空間部と、前記第１の機器収納部の下階床側に、高さ寸法が前記下部機械室の高さ寸法以上となる第２の機器収納空間部を形成し、かつこれら両機器収納空間部の底面間を前記上部階段部の傾斜に沿って形成した傾斜底面で連結し、前記上部機械室の上階床側端部を固定具を介して前記上部階段部の最上段に支持したことを特徴とする階段通路設備。
【請求項２】
前記上部機械室の上階床側端部と前記上部階段部の最上段との隙間を塞ぐ手段を設けたことを特徴とする請求項１記載の階段通路設備。
【発明の詳細な説明】
【０００１】
【発明の属する技術分野】
本発明は、上部階段部と下部階段部との中間に踊り場を有する階段上に、前記下部階段部に沿って上下階床間を連通する乗客コンベアを設置してなる階段通路に関する。
【０００２】
【従来の技術】
中間に踊り場を有する階段上に乗客コンベアを設置した階段通路設備は、例えば特開平７−１８９４４９号公報の図１０に開示されているように、既に提案されている。
【０００３】
【発明が解決しようとする課題】
上記従来の技術は、乗客コンベアを階段上へ設置するに際し、階段の一部を掘削して撤去しなければ設置することができず、したがって据付工事性についての配慮がなされていなかった。
【０００４】
本発明の目的の一つは、中間に踊り場を有する階段への乗客コンベアの据付工事性に優れた階段通路設備を提供することにある。
【０００５】
本発明の目的のもう一つは、乗客コンベアを設置するに際し、中間踊り場付き階段の強度を低下させることのない階段通路設備を提供することにある。
【０００６】
本発明の目的のさらにもう一つは、設置寸法を大型化することがない階段通路設備に用いられる乗客コンベアを提供することにある。
【０００７】
【課題を解決するための手段】
本発明は上記目的を達成するために、上部階段部と下部階段部との中間に踊り場を有する階段上に、上下階床間を連通する乗客コンベアを前記下部階段部の傾斜に沿って設置してなる階段通路設備において、前記乗客コンベアの上部機械室の上階床側端を前記上部階段部の最上段よりも下方の段上に配置し、前記上部機械室の底面を前記上部階段部の傾斜に沿って形成し、かつ前記上部機械室の上階床側端部を固定具を介して前記上部階段部の最上段に支持したのである。さらに、前記上部機械室の上階床側に、高さ寸法が前記下部機械室の高さ寸法以下となる機器収納空間部を形成すると共に、前記上部機械室の下階床側に、高さ寸法が前記下部機械室の高さ寸法以上となる機器収納空間部を形成したのである。
【０００８】
上記構成によれば、上部機械室を階段との干渉を避けて階段の最上段に支持できるので、階段を掘削せずに乗客コンベアを設置することができ、その結果、据付工事性は優れ、階段の強度も低下させることはなくなる。さらに、上部機械室は下部機械室よりも高さ寸法が高い機器収納部を有するので、上部機械室を長手方向に拡張せずに機器の収納空間を確保することができ、乗客コンベアの設置寸法を大型化する必要がなくなる。
【０００９】
【発明の実施の形態】
以下本発明による一実施の形態を図１及び図２に基づいて説明する。
【００１０】
例えば、一般に、駅舎の連絡通路である上階床１とプラットホームである下階床２とは階段３で連通されている。この階段３は、中間部に踊り場４を有し、その上下に上部階段部５と下部階段部６とが連なる中間踊り場付き階段である。このような階段３上の幅方向の一側に寄せられた状態で設置される乗客コンベアの一種であるエスカレーター７は、上部機械室９を形成する上部水平部と、下部機械室１０を形成する下部水平部と、これら上部機械室９と下部機械室１０とを接続する傾斜部１１からなる主枠８を備えている。このような主枠８内には、踏段チェーン１２によって無端状に連結されて循環移動する複数の踏段１３が案内支持されている。
【００１１】
また、前記主枠８の上部機械室９内には、前記踏段チェーン１２を巻掛けた鎖車１４が軸支され、この鎖車１４を駆動チェーン１５を介して駆動する駆動機１６が設置されている。さらに、上部機械室９内には、前記駆動機１６の運転を制御する制御装置１７や受電箱１８等の機器が設置され、頂部は着脱自在の乗降床１９によって塞がれている。尚、下部機械室１０もその頂部は着脱自在の乗降床２０によって塞がれている。
【００１２】
このほか、前記主枠８には、前記移動する踏段１３の両側に沿って一対の欄干２１が立設され、欄干２１の周縁を前記踏段１３と同期して移動する移動手摺２２が案内されている。
【００１３】
上記構成のエスカレーター７において、下部機械室１０は水平底面を有し、乗降床２０からの高さ寸法Ｈ０  は前記踏段１３が方向転換して反転するのに必要最小限の空間が確保できる寸法としている。この下部機械室１０は、乗降床２０が下階床２と面一となるように、階段３の下の下階床２に設けたピット２３内に埋設される。ここで、前記主枠８の傾斜部１１の底面は、前記下部階段部６の傾斜に沿って非接触を保持するように配置され、必要に応じて傾斜部１１の底面と下部階段部６との間に間隔保持体を設置してもよい。
【００１４】
一方、上部機械室９は、上階床１側から下階床２側へ向って順に３つの機器収納空間部９ａ〜９ｃが形成されている。機器収納空間部９ａは、乗降床１９から水平な底面２４までの高さ寸法ｈが、階段一段分の高さ以上で階段二段分の高さ以下で、かつ下部機械室１０の高さ寸法Ｈ０  よりも低く形成されている。機器収納空間部９ｂは、機器収納空間部９ａの底面２４端から下階床２側に向い前記上部階段部５の段鼻５Ｎの傾斜に沿って形成された傾斜底面２５を有する。そしてこの傾斜底面２５の下端は、前記下部機械室１０の高さ寸法Ｈ０  以上の高さ寸法Ｈになるまで延在している。そして機器収納空間部９ｃは、前記傾斜底面２５の下端に連なり高さ寸法Ｈを確保する水平な底面２６を有する。ここで、機器収納空間部９ｃにおいて、高さ寸法Ｈから高さ寸法Ｈ０  を差引いた寸法が拡張された空間部となる。
【００１５】
このように構成された上部機械室９の機器収納空間部９ａの外側で上階床１側端部となる位置に断面Ｌ型の固定具２７を固定し、この固定具２７の水平部を前記上部階段部５の最上段５Ｕ上に支持させる。このとき、機器収納空間部９ａの外端、即ち、上部機械室９の上階床１側端は、上部階段部５の最上段５Ｕより一段下の段上に位置し、前記傾斜底面２５は上部階段部５の段鼻５Ｎと非接触状態を保持する。この状態において、上部機械室９と上階床１との間には階段一段分の凹部２８が生じるが、ここにはアスファルト等の充填物を詰めて表面に化粧床材等を張付けた塞ぎ手段２９を設けて上階床１と乗降床１９とが連続した面となるようにしている。
【００１６】
上記上部機械室９の機器収納空間部９ａ内には、比較的小体積の受電箱１８等が設置され、傾斜底面２５を有する機器収納空間部９ｂ内には、制御装置１７が点検スペース等を確保して設置される。そして、機器収納空間部９ｃ内には、前記踏段１３の方向転換部を行う鎖車１４が設置され、この鎖車１４の下方に平面的に一部が重なるように駆動機１６が設置される。
【００１７】
本来なら、上部機械室９は、図２に二点鎖線で示すように、乗降床１９からの高さ寸法は下部機械室１０の高さ寸法Ｈ０  と同じであるので、駆動機１６を設置するためには、上部機械室９の長さを固定具２７の方向に延長しなければならない。しかし、上部機械室９を高さ寸法Ｈ０  とすると、図１の二点鎖線で示すように、上部機械室９の底部が上部階段部５の上段部側と干渉するので、上部階段部５の一部を撤去しなければならず、さらに、高さ寸法Ｈ０  の上部機械室９をそのまま上階床１側に延長すると、延長部が上部階段部５の最上段５Ｕ側まで干渉することになるので撤去量が増える問題がある。
【００１８】
これに対し、本実施の形態によれば、通常に設置した場合、上部階段部５と主枠８との間に生じる空間３０を利用して上部機械室９の底部を下方に拡張したので、上部機械室９を上階床１側に延長させずに駆動機１６の設置空間を確保することができるのである。
【００１９】
以上から、本実施の形態によれば、上部機械室９を上階床１側に延長させることなく各機器を収納することができるので、エスカレーター７の設置寸法を大型化することがなく、これに伴って、階段３を掘削する作業は必要なくなるので、中間踊り場付き階段へのエスカレーター７の工事期間を短縮でき、据付工事性に優れた階段通路設備を得ることができると共に、掘削などによる階段３の強度の低下はなくなる。
【００２０】
ところで、以上説明の実施の形態は、乗客コンベアとしてエスカレーター７を説明したが、エスカレーターに代えて電動道路を設置する場合にも本発明を適用することができ、同様な効果を奏することができる。
【００２１】
【発明の効果】
以上説明したように本発明によれば、乗客コンベアの設置寸法を大型化することがなく、しかも乗客コンベアを設置するために、階段を掘削することはなく、したがって乗客コンベアの中間踊り場付き階段への据付工事性に優れ、階段の強度を低下させることのない階段通路設備を得ることができる。
【図面の簡単な説明】
【図１】本発明による階段通路設備に用いる乗客コンベアの一実施の形態を示す全体概略側面図。
【図２】図１の乗客コンベアの上部機械室周囲を示す拡大図。
【符号の説明】
１…上階床、２…下階床、３…階段、４…中間踊り場、５…上部階段部、５Ｕ…最上段部、６…下部階段部、７…エスカレーター、８…主枠、９…上部機械室、１０…下部機械室、２５…傾斜底面。
【図１】
0003612467.tif 000002
【図２】
0003612467.tif 000003